(57)【要約】【課題】容器の操作部を操作中であることを、簡易な構成によって音を発することによりリアルタイムで容易に認知させることのできる発音容器を提供する。【解決手段】トリガー１６を操作する際の回動移動に追随して、空気孔１７から空気の出し入れを行うことにより中空内部の容積を増減させながら弾性変形する中空弾性部材１８がトリガースプレーヤー付き容器１０の本体部１１に固定されたトリガースプレーヤー１３に設けられており、且つ中空弾性部材１８の空気孔１７には、空気の流通によって発音する笛部材１９が取り付けられている。トリガー１６は、ピン結合部を介してトリガースプレーヤー１３のスプレヤー本体１５に回動可能に連結されている。中空弾性部材１８は、トリガー１６の下部における背面部と、本体部１１の口首部１２に固定されるキャップ部２０との間に介在して着脱可能に取り付けられている。【選択図】図１
2007131314.tif 000002
【特許請求の範囲】
【請求項１】
操作部の移動又は変形に追随して空気孔から空気の出し入れを行うことにより中空内部の容積を増減させながら弾性変形する中空弾性部材が、容器の本体部に設けられており、且つ該中空弾性部材の前記空気孔には、空気の流通によって発音する笛部材が取り付けられている発音容器。
【請求項２】
前記操作部は、前記本体部との結合部を回動中心として回動自在に連結され、
前記操作部を回動させることにより前記結合部と離れた位置における前記操作部と前記本体部との間隔を拡大縮小させ、前記中空弾性部材は、前記結合部と離れた位置において前記本体部と前記操作部との間に介在して設けられている請求項１記載の発音容器。
【請求項３】
前記操作部は、箱容器の本体部にヒンジ結合により連結され、回動操作することにより取出し口を開閉する開閉蓋である請求項２記載の発音容器。
【請求項４】
前記操作部は、吐出容器の本体部に収容された収容物を吐出させる吐出操作部である請求項１又は２に記載の発音容器。
【請求項５】
前記吐出容器はトリガースプレーヤー付き容器であり、前記操作部はトリガーである請求項４記載の発音容器。
【請求項６】
前記中空弾性部材は、前記トリガーの背面と、前記本体部の口首部に固定されるキャップとの間に介在して着脱可能に取り付けられる請求項５に記載の発音容器。
【発明の詳細な説明】
【技術分野】
【０００１】
本発明は、発音容器に関し、例えば箱容器や吐出容器に設けられた操作部の移動又は変形を伴なう操作の際に音を発する発音容器に関する。
【背景技術】
【０００２】
例えばウェットテッシュ等のシート材料や粉粒物を収容した合成樹脂製の箱容器においては、本体部にヒンジ結合部又はピン結合部を介して連結された開閉蓋を回動操作することにより、取出し口を開閉するタイプのものがある。また、吐出容器として、例えばトリガースプレーヤーの付いた吐出容器は、容器の本体部に一体固定される部分であるトリガースプレーヤーにヒンジ結合部又はピン結合部を介してトリガーが連結されており、このトリガーを本体部に対して回動操作することにより、吐出ノズルから内容液を吐出させる。さらに、吐出容器として、例えばポンプ装置付きの容器は、ポンプ部の上下の移動によって吐出ノズルから内容液を吐出させるようになっており、例えばスクイズ容器は、押圧変形可能な本体部自体を操作部として変形操作することにより、先端の吐出口から内容物を吐出させるようになっている。
【０００３】
これらの操作部を有する容器は、その操作によって本来の機能を効果的に発揮させることが重要であることから、操作を行う際の操作部の移動や変形に追随させて、例えばある特定の音を発生させて操作中であることを認知させるといった付加的な機能をあえて組み込む必要はないものと考えられていた。
【０００４】
一方、音を発する容器として、例えば飲料用の容器を傾けた時に、音声やメロディを発音させるようにしたもの（例えば、特許文献１参照）や、包装を解く時にメロディーやメッセージを発音させるようにした包装容器（例えば、特許文献２参照）が開示されている。
【特許文献１】特開２００３−２４６３２８号公報
【特許文献２】特開平５−３１９４３７号公報
【発明の開示】
【発明が解決しようとする課題】
【０００５】
しかしながら、これらの容器は、ビールビン等の容器を傾けたり、包装容器の蓋を開放することをきっかけとして、その後数秒〜数十秒間、容器に組み込まれたスピーカーや各種の回路からなる電子発音器によって人の声やメロディーを流すものであり、大量に生産される容器に各々設ける場合には、構造が複雑になると共にコスト高になる。また、容器の操作に追随して音を発するものではなく、操作後も音声やメロディーが引き続き流れることになるため、操作中であることをリアルタイムで認知させることは困難である。さらに、例えばバリアフリーや子供のいたずら防止の観点から、視覚によることなく容器の操作をリアルタイムで判別できるようにしておくことが望ましい。
【０００６】
本発明は、容器の操作部を操作中であることを、簡易な構成によって音を発することによりリアルタイムで容易に認知させることのできる発音容器を提供することを目的とする。
【課題を解決するための手段】
【０００７】
本発明は、操作部の移動又は変形に追随して空気孔から空気の出し入れを行うことにより中空内部の容積を増減させながら弾性変形する中空弾性部材が、容器の本体部（本体部に固定された部分を含む本体部全体を意味する。）に設けられており、且つ該中空弾性部材の前記空気孔には、空気の流通によって発音する笛部材が取り付けられている発音容器を提供することにより、上記目的を達成したものである。
【発明の効果】
【０００８】
本発明の発音容器によれば、容器の操作部を操作中であることを、簡易な構成によって音を発することによりリアルタイムで容易に認知させることができる。
【発明を実施するための最良の形態】
【０００９】
図１に示す本発明の好ましい第１実施形態に係る発音容器１０は、本体部１１の口首部１２にトリガースプレーヤー１３が装着固定されたトリガースプレーヤー付き容器であって、トリガースプレーヤー１３の先端ノズル１４から本体部１１に収容された収容液を対象物に向けて吐出する吐出容器として用いられるものである。ここで、トリガースプレーヤー１３は、例えば液体洗剤等を霧状又は泡状にして吐出させるスプレヤーとして公知のものであり、スプレヤー本体１５に回動可能にピン結合された操作部としてのトリガー１６を、スプレヤー本体１５の内部に設けたシリンダー部の付勢力に抗して、口首部１２側に繰り返し引き寄せる操作を行うことにより、本体部１１から吸引パイプを介して収容液をスプレヤー本体１５に汲み上げると共に、汲み上げた収容液を霧状又は泡状にして先端ノズル１４から吐出させる機能を備えるものである。
【００１０】
そして、第１実施形態に係る発音容器（トリガースプレーヤー付き容器）１０では、トリガー１６を操作する際の回動移動に追随して、空気孔１７から空気の出し入れを行うことにより中空内部の容積を増減させながら弾性変形する中空弾性部材１８が、容器１０の本体部１１に固定された部分であるトリガースプレーヤー１３に設けられており、且つ中空弾性部材１８の空気孔１７には、空気の流通によって発音する笛部材１９が取り付けられている。
【００１１】
本第１実施形態では、トリガー１６は、本体部１１の口首部１２に一体固定されるトリガースプレーヤー１３のスプレヤー本体１５に、ピン結合部（図４の符号２１参照）を介して、当該ピン結合部を回動中心として回動自在に連結されている。またトリガー１６は、ピン結合部と離れた位置における、本体部１１の口首部１２に螺着されるトリガースプレーヤー１３のキャップ部２０との間隔を拡大縮小させつつ、キャップ部２０側に引き寄せるようにして回動するようになっている。そして、中空弾性部材１８は、ピン結合部と離れた位置であって、トリガー１６の下部における背面部と、本体部１１の口首部１２に固定されるキャップ部２０との間に介在して設けられている。さらに、本第１実施形態では、図２に示すように、中空弾性部材１８は、トリガー１６の背面部と、トリガースプレーヤー１３のキャップ部２０との間に着脱可能に取り付けられている。
【００１２】
また、本第１実施形態では、中空弾性部材１８は、合成樹脂成形品であって、波形円筒形状の蛇腹部１８ａと、円筒形状のトリガー装着部１８ｂと、円弧形状のキャップ装着部１８ｃとからなる。蛇腹部１８ａには、周面の適宜の位置に空気孔１７が開口形成されており、この空気孔１７から内部の空気を出し入れしつつ、蛇腹部１８ａを軸方向に伸縮させて、中空内部の容積を増減させながら軸方向に弾性変形するようになっている。トリガー装着部１８ｂは、トリガー１６の背面部において両側の一対の側壁リブ１６ａ及び上下一対の位置決めリブ１６ｂによって四方を区画された、嵌込み凹部１６ｃに内接して装着される大きさの外周形状を備えており、中空弾性部材１８の一端部をトリガー１６の背面部に着脱可能に位置決め固定する。またキャップ装着部１８ｃは、例えば１８０度を僅かに超える中心角で円弧状に湾曲する帯状部分を含んでおり、蛇腹部１８ａとは反対側の切欠き部分１８ｄの間隔を拡幅しつつ弾性変形すると共に、内周面をトリガースプレーヤー１３のキャップ部２０の外周面に沿わせるように装着されて、中空弾性部材１８の他端部をキャップ部２０に着脱可能に位置決め固定する。
【００１３】
本第１実施形態では、中空弾性部材１８の蛇腹部１８ａに形成された空気孔１７には、空気の流通によって発音する笛部材１９が取り付けられている。笛部材１９は、図３（ａ）〜（ｃ）に示すように、例えば中空円筒形状の笛本体１９ａに各種の振動片１９ｂを取り付けた公知のもので、空気が笛本体１９ａを通過する際の空気の流れによって振動片１９ｂを振動させることにより、種々の音を発生するようになっている。笛部材１９は、蛇腹部１８ａの中間部に設ける必要は必ずしもなく、蛇腹部１８ａの端部に設けることが好ましい。外観上からは、例えば円筒形状のトリガー装着部１８ｂの内側において蛇腹部１８ａの端部に空気孔１７を形成して笛部材１９を取り付け、トリガー装着部１８ｂによって笛部材１９を覆い隠すようにすることが好ましい。
【００１４】
そして、本第１実施形態の発音容器１０によれば、本体部１１に収容された収容液を吐出させるためにトリガー１６を回動してキャップ部２０側に引き寄せる操作を行う毎に、中空弾性部材１８の蛇腹部１８ａが伸縮し、空気が空気孔１７を通過して笛本体１９ａを発音させるので、トリガー１６による吐出操作の操作中であることを、笛部材１９を備える中空弾性部材１８を設けただけの簡易な構成によって音を発することにより、リアルタイムで容易に認知させることが可能になる。また笛本体１９ａからの発音によって、操作中であることを認知できるので、例えばバリアフリー対応の容器として用いることが可能になると共に、子供のいたずらなどを視覚によることなく音によって察知することが可能になる。さらにまた、トリガー１６の操作に伴なって音が発音されるので、浴室の清掃や窓拭き等の家事を楽しく行うことが可能になると共に、音の発音によって遊び心や驚きが付加されるので、例えば贈答用として好ましく使用することが可能になる。
【００１５】
また、本第１実施形態では、中空弾性部材１８として、蛇腹部１８ａからなるものを用いるので、蛇腹部１８ａが圧縮された状態から元の状態に戻ろうとする弾性力を利用して、トリガー１６を押し戻すシリンダー部の付勢力を補助することが可能になり、トリガー１６の繰返し操作をさらにスムーズに行えるようにすることが可能になる。
【００１６】
なお、本第１実施形態では、中空弾性部材１８を、トリガースプレーヤー１３のトリガー１６の背面部とキャップ部２０との間に着脱可能に取り付けて用いたが、中空弾性部材１８を着脱可能に取り付ける必要は必ずしもなく、例えば図４に示すように、トリガースプレーヤー１３のスプレヤー本体１５に内蔵させて、ピン結合部２１と離れた位置においてトリガー１６の背面部とスプレヤー本体１５との間に設けることもできる。
【００１７】
図５（ａ），（ｂ）は、本発明の好ましい第２実施形態に係る発音容器である箱容器２２を示すものである。本第２実施形態の発音容器２２は、例えばウェットシートを折り畳んで層状にした状態で複数枚収容する箱容器として用いられるものであり、本体部２５の上端開口を覆って固定された蓋板２３の中央部分に取出し口２４が開口形成され、この取出し開口２４を介して収容されたウェットシートを一枚一枚本体部２５から取り出すことができるようになっている。また、本体部２５に固定された蓋板２３には、ヒンジ結合部２６を介して開閉蓋２７が回動可能に連結されており、この開閉蓋２７を操作部として回動操作することにより、例えば閉塞時には開口側係止凹部２８に蓋側係止凸部２９を係合すると共に、開放時にはヒンジ結合部２６に設けた開放付勢手段によって、又は後述する中空弾性部材３０の弾性力によって開閉蓋２７を開く方向に付勢しつつ、取出し口２４をを開閉することができるようになっている。
【００１８】
また、本第２実施形態の発音容器２２では、開閉蓋２７は取出し開口２４とヒンジ結合部２６との間の中間部分と開閉蓋２７との間隔を拡大縮小させつつ回動するようになっている。即ち、中空弾性部材３０は、このピン結合部２６と離れた取出し開口２４とヒンジ結合部２６との間の中間部分において、一端部３０ｂを蓋板２３に設けた収容凹部３１の底部に接合する共に、他端部を接合リブ３０ｃを介して開閉蓋２７の裏面に接合することにより、操作部としての開閉蓋２７と蓋板２３との間に介在して設けられている。
【００１９】
さらに、本第２実施形態では、中空弾性部材３０は、上記第１実施形態の中空弾性部材１８と同様の蛇腹部３０ａを備えており、蛇腹部３０ａを伸縮させつつ空気孔３２を介して内部の空気を出し入れできるようになっている。また空気孔３２に取り付けた上記第１実施形態のものと同様の構成の笛部材１９を、空気の流通によって発音させることができるようになっている。
【００２０】
そして、本第２実施形態の発音容器（箱容器）２２によっても、開閉蓋２７の開閉操作に伴なって、中空内部の容積を増減させながら中空弾性部材３０を弾性変形させて笛部材１９を発音させることにより、上記第１実施形態の発音容器１０と同様の作用効果を奏することになる。
【００２１】
なお、本発明は上記各実施形態に限定されることなく種々の変更が可能である。例えば、発音容器は、トリガースプレーヤー付き容器や箱容器である必要は必ずしも無く、ポンプ部を本体部に対して上下に移動操作して収容物を吐出させるポンプ装置付き容器や、押圧変形可能な本体部自体を操作部として変形操作により先端の吐出口から内容物を吐出させるスクイズ容器等の吐出容器に中空弾性部材を設けて、本発明の発音容器とすることもできる。また、吐出容器以外のその他の容器の操作部に笛部材を取り付けた中空弾性部材を設けて、本発明の発音容器とすることもできる。さらに、空気孔部から空気の出し入れを行うことにより中空内部の容積を増減させながら弾性変形する中空弾性部材は、蛇腹部を含む中空弾性部材である必要は必ずしも無く、例えばゴムや合成樹脂からなる弾性変形可能な中空ボール形状やその他の種々の中空形状のものを、中空弾性部材として用いることもできる。
【図面の簡単な説明】
【００２２】
【図１】本発明の好ましい第１実施形態に係る発音容器であるトリガースプレーヤー付き容器の要部を示す側面図である。
【図２】中空弾性部材を着脱可能に取り付ける構成を説明する斜視図である。
【図３】（ａ）〜（ｃ）は笛部材の形態を例示する略示断面図及び略示斜視図である。
【図４】本発明の好ましい第１実施形態に係る発音容器であるトリガースプレーヤー付き容器の他の形態を例示する要部断面図である。
【図５】（ａ）は本発明の好ましい第２実施形態に係る発音容器である箱容器を示す斜視図、（ｂ）は（ａ）の箱容器に用いた中空弾性部材の正面図である。
【符号の説明】
【００２３】
１０  トリガースプレーヤー付き容器（発音容器）
１１  本体部
１２  口首部
１３  トリガースプレーヤー
１４  先端ノズル
１５  スプレヤー本体
１６  トリガー（操作部）
１６ａ  側壁リブ
１６ｂ  位置決めリブ
１６ｃ  嵌込み凹部
１７  空気孔
１８  中空弾性部材
１８ａ  蛇腹部
１８ｂ  トリガー装着部
１８ｃ  キャップ装着部
１９  笛部材
１９ａ  笛本体
１９ｂ  振動片
２０  キャップ部
２１  ピン結合部
２２  箱容器（発音容器）
２３  蓋板
２４  取出し口
２５  本体部
２６  ヒンジ結合部
２７  開閉蓋（操作部）
２８  開口側係止凹部
２９  蓋側係止凸部
３０  中空弾性部材
３０ａ  蛇腹部
３０ｃ  接合リブ
３１  収容凹部
３２  空気孔
【図１】
2007131314.tif 000003
【図２】
2007131314.tif 000004
【図３】
2007131314.tif 000005
【図４】
2007131314.tif 000006
【図５】
2007131314.tif 000007